(57)【要約】【課題】作業者が常時監視していなくても冷熱機器の冷媒を回収する冷媒回収システムを提供する。【解決手段】冷媒回収システムは、冷媒回収機器から抜き取った冷媒を冷媒回収機（２）により液化して２口ボンベ（１）に回収する冷媒回収システムにおいて、上記冷媒回収機器から抜き取った冷媒を上記冷媒回収機（２）に導く配管を開閉する第１の電磁弁（６ａ）と、上記２口ボンベ（１）内のガスを上記冷媒回収機（２）に戻すリターン配管（９）を開閉する第２の電磁弁（６ｂ）と、上記リターン配管（９）内のガス圧が第１の所定値以上のときに上記第１の電磁弁（６ａ）を閉鎖するとともに上記第２の電磁弁（６ｂ）を開放する圧力開閉器（５）と、を備える。【選択図】図１
2008256326.tif 000002
【特許請求の範囲】
【請求項１】
冷媒回収機器から抜き取った冷媒を冷媒回収機により液化して２口ボンベに回収する冷媒回収システムにおいて、
上記冷媒回収機器から抜き取った冷媒を上記冷媒回収機に導く配管を開閉する第１の電磁弁と、
上記２口ボンベ内のガスを上記冷媒回収機に戻すリターン配管を開閉する第２の電磁弁と、
上記リターン配管内のガス圧が第１の所定値以上のときに上記第１の電磁弁を閉鎖するとともに上記第２の電磁弁を開放する圧力開閉器と、
を備えることを特徴とする冷媒回収システム。
【請求項２】
上記圧力開閉器は、上記第１の電磁弁を閉鎖しているとともに上記第２の電磁弁を開放している場合、上記リターン配管内のガス圧が上記第１の所定値より低い第２の所定値未満のときに上記第１の電磁弁を開放するとともに上記第２の電磁弁を閉鎖することを特徴とする請求項１に記載の冷媒回収システム。
【発明の詳細な説明】
【技術分野】
【０００１】
この発明は、冷熱機器のメンテナンスなどで冷媒を回収するために使用される冷媒回収システムに関するものである。
【背景技術】
【０００２】
従来の冷媒回収システムは、冷媒回収対象物よりゲージマニホールドを経由して抜き取り、抜き取った冷媒を冷媒回収機で液化し、液化した冷媒を冷媒回収用の２口ボンベに液側バルブから充填する。但し、圧力上昇を防止するため、２口ボンベのガス側バルブからボンベ内のガスをゲージマニホールドを経由して抜き取り、抜き取ったガスを再び冷媒回収機で液化し、液化しガスを冷媒回収用の２口ボンベに液側バルブから充填する。
冷媒回収中には、回収装置の保護のために、冷媒回収用の２口ボンベ内の圧力上昇により、冷媒回収機の回収能力を超えたとき、過電流や圧力上限を検知して自動停止してしまう。
そこで、冷媒回収機の吸入圧力が上がり過ぎ過電流による保護停止を防ぐために、ゲージマニホールドのゲージの値を作業者が読み取り、ゲージの値に基づきバルブの切り替えを行い、２口ボンベ内の圧力調整を行っている（例えば、特許文献１参照）。
【０００３】
【特許文献１】特開２０００−８８４０４号公報
【発明の開示】
【発明が解決しようとする課題】
【０００４】
しかし、作業者が常時ゲージの値を監視してバルブの切り替えを行わなければならないので、冷媒回収作業以外の作業に取りかかることができずに作業効率が悪いという問題がある。
【０００５】
この発明の目的は、作業者が常時監視していなくても冷熱機器の冷媒を回収する冷媒回収システムを提供することである。
【課題を解決するための手段】
【０００６】
この発明に係る冷媒回収システムは、冷媒回収機器から抜き取った冷媒を冷媒回収機により液化して２口ボンベに回収する冷媒回収システムにおいて、上記冷媒回収機器から抜き取った冷媒を上記冷媒回収機に導く配管を開閉する第１の電磁弁と、上記２口ボンベ内のガスを上記冷媒回収機に戻すリターン配管を開閉する第２の電磁弁と、上記リターン配管内のガス圧が第１の所定値以上のときに上記第１の電磁弁を閉鎖するとともに上記第２の電磁弁を開放する圧力開閉器と、を備える。
【発明の効果】
【０００７】
この発明に係る冷媒回収システムの効果は、回収した冷媒を貯留する２口ボンベ１内のガス圧を検知し、検知したガス圧が第１の所定値以上のとき冷媒回収機器３からの回収を一旦停止し２口ボンベ１内のガスを冷媒回収機２に供給することによりガス圧を低下するので、作業員が回収作業を常時監視していなくても良く、作業効率が改善される。
【発明を実施するための最良の形態】
【０００８】
図１は、この発明に係る実施の形態による冷媒回収システムの構成図である。
この発明に係る実施の形態による冷媒回収システムは、冷媒が抜かれる空調機または冷凍機（以下、冷媒回収機器３と称す）の冷媒回路に接続される機器接続配管１０、機器接続配管１０に入口が接続され冷媒以外の異物を除去するストレーナー８、ストレーナー８に入口が接続される第１の電磁弁（ＳＶ）６ａ、第１の電磁弁６ａの出口に入口が接続される吸入圧力調整弁７、吸入圧力調整弁７の出口に冷媒供給口が接続される冷媒回収機２、冷媒回収機２の冷媒吐出口に液側バルブ付ノズル１ａが接続される冷媒回収用の２口ボンベ１、２口ボンベ１のガス側バルブ付ノズル１ｂに入口が接続される第２の電磁弁（ＳＶ）６ｂ、ガス側バルブ付ノズル１ｂと第２の電磁弁６ｂの入口とを接続するリターン配管９に取り付けられる圧力開閉器（ＰＳ）５を備える。
そして、第２の電磁弁６ｂの出口が第１の電磁弁６ａの出口と吸入圧力調整弁７の入口とを接続する配管１１の途中に結合されている。
【０００９】
冷媒回収機２は、冷媒回収機器３から回収した冷媒を液化し、液化した冷媒を冷媒吐出口から吐出する。
２口ボンベ１には、冷媒回収機２から吐出された液化した冷媒が貯留される。なお、２口ボンベ１内には液化した冷媒が再度ガス化した冷媒のガスが溜まっている。
圧力開閉器５は、第１の電磁弁６ａを開放し、第２の電磁弁６ｂを閉鎖しているときに
リターン配管９内のガス圧が予め定められた第１の設定値以上の場合、第１の電磁弁６ａを閉鎖し、第２の電磁弁６ｂを開放する。逆に、第１の電磁弁６ａを開放し、第２の電磁弁６ｂを閉鎖しているときにリターン配管９内のガス圧が第１の設定値未満の場合、第１の電磁弁６ａと第２の電磁弁６ｂの開閉をそのままに維持する。
また、圧力開閉器５は、第１の電磁弁６ａを閉鎖し、第２の電磁弁６ｂを開放しているときにリターン配管９内のガス圧が第１の設定値から予め定められたディファレンシャル値を差し引いた第２の所定値未満の場合、第１の電磁弁６ａを開放し、第２の電磁弁６ｂを閉鎖する。逆に、第１の電磁弁６ａを閉鎖し、第２の電磁弁６ｂを開放しているときにリターン配管９内のガス圧が第２の設定値以上の場合、第１の電磁弁６ａと第２の電磁弁６ｂの開閉をそのままに維持する。
【００１０】
図２は、この発明に係る実施の形態による冷媒回収システムの動作を示すフローチャートである。
次に、この発明に係る実施の形態による冷媒回収システムの動作について説明する。
冷媒回収機器３から冷媒を回収する作業を開始するとき、冷媒回収機器３の冷媒回路に機器接続配管１０を接続する。また、２口ボンベ１の液側バルブ付ノズル１ａに冷媒回収機２の冷媒吐出口を配管で接続する。また、２口ボンベ１のガス側バルブ付ノズル１ｂにリターン配管９を接続する。なお、以下の説明では２口ボンベ１内には液化した冷媒を貯留するスペースが残っており、且つ、２口ボンベ１内のガス化したガスのガス圧が第２の設定値未満であるとして作業を開始する。
【００１１】
このような準備作業が完了したら、液側バルブ付ノズル１ａとガス側バルブ付ノズル１ｂのバルブを開き、冷媒回収機２を稼動する。
ステップＳ１において、圧力開閉器５はガス圧を検知して第１の電磁弁６ａおよび第２の電磁弁６ｂを開閉するが、上述の２口ボンベ１の状態からガス圧が第２の所定値未満であるので、第１の電磁弁６ａを開放し、第２の電磁弁６ｂを閉鎖する。
このとき、冷媒回収機器３の冷媒回路から抜かれ、ストレーナー８で異物が除去され、吸入圧力調整弁７で圧力が調整された冷媒が冷媒回収機２に供給される。そして、冷媒回収機２は供給された冷媒を液化して２口ボンベ１に貯留する。この第１の電磁弁６ａが開放され、第２の電磁弁６ｂが閉鎖されていて冷媒回収機器３から冷媒を回収する動作を通常冷媒回収モード動作と称す。
【００１２】
通常回収モード動作で冷媒を２口ボンベ１に貯留して行くと、２口ボンベ１内のガス圧が上昇する。
ステップＳ２において、圧力開閉器５はガス圧が第１の設定値以上であるか否かを判断し、ガス圧が第１の所定値以上のときステップＳ２に進み、ガス圧が第１の所定値未満のときステップＳ  に進む。
ステップＳ３において、圧力開閉器５は第１の電磁弁６ａを閉鎖し、第２の電磁弁６ｂを開放する。すると、２口ボンベ１内のガスが第２の電磁弁６ｂと吸入圧力調整弁７とを経由して冷媒回収機２に供給される。そして、冷媒回収機２は２口ボンベ１内のガスを液化して２口ボンベ１に貯留する。この第１の電磁弁６ａが閉鎖され、第２の電磁弁６ｂが開放されていて２口ボンベ１内のガスを液化する動作を回収ボンベ内圧力調整モード動作と称す。
【００１３】
回収ボンベ内圧力調整モード動作で２口ボンベ１内のガスを液化して２口ボンベ１内に貯留して行くと、２口ボンベ１内のガス圧が低下する。
ステップＳ４において、圧力開閉器５はガス圧が第２の設定値未満であるか否かを判断し、ガス圧が第２の設定値未満のときステップＳ５に進み、ガス圧が第２の設定値以上のときステップＳ３に戻る。
ステップＳ５において、冷媒回収機器３の冷媒回路からの冷媒の回収が完了したか否かを判断し、回収が完了したら回収作業を終了し、回収が未了のときステップＳ１に戻る。
【００１４】
この発明に係る冷媒回収システムは、回収した冷媒を貯留する２口ボンベ１内のガス圧を検知し、検知したガス圧が第１の所定値以上のとき冷媒回収機器３からの回収を一旦停止し２口ボンベ１内のガスを冷媒回収機２に供給することによりガス圧を低下するので、作業員が回収作業を常時監視していなくても良く、作業効率が改善される。
【００１５】
また、２口ボンベ１内のガス圧が第２の所定値未満に至るまで２口ボンベ１内のガスを液化するので、通常冷媒回収モードでの運転が継続して行える。
【図面の簡単な説明】
【００１６】
【図１】この発明に係る実施の形態による冷媒回収システムの構成図である。
【図２】この発明に係る実施の形態による冷媒回収システムの動作を示すフローチャートである。
【符号の説明】
【００１７】
１  ２口ボンベ、１ａ  液側バルブ付ノズル、１ｂ  ガス側バルブ付ノズル、２  冷媒回収機、３  冷媒回収機器、５  圧力開閉器、６ａ  第１の電磁弁、６ｂ  第２の電磁弁、７  吸入圧力調整弁、８  ストレーナー、９  リターン配管、１０  機器接続配管、１１  配管。
【図１】
2008256326.tif 000003
【図２】
2008256326.tif 000004